(57)【要約】【課題】浴室ユニット等の一の壁面両端以外の部分に立設され、壁パネルが固定される支柱の、製造過程における取付孔穿設等の加工誤差を吸収して、垂直性を確保することに優れた浴室ユニット支柱立設構造を提供する。【解決手段】浴室ユニットの床パン上のコーナー部に立設された複数のコーナー支柱と、隣接する該コーナー支柱の頂部間を接続する天井つなぎ材と、上記隣接するコーナー支柱間において上記床パン及び上記天井つなぎ材間に架設された一又は複数の平支柱とを有し、これらコーナー支柱及び平支柱に複数の壁パネルを固定して上記浴室ユニットの壁面を構成する浴室ユニットの支柱立設構造において、上記平支柱は、浴室ユニットの上記壁面に平行な室外側の側面頂部近傍に、上記天井つなぎ材を嵌入可能な嵌入部を備え、該嵌着部に、上記天井つなぎ材が嵌着され、上記平支柱の上端が、上記天井つなぎ材の長手方向に沿って揺動可能に掛止される。【選択図】  図３
2006241710.tif 000002
【特許請求の範囲】
【請求項１】
浴室ユニットの床パン上のコーナー部に立設された複数のコーナー支柱と、隣接する該コーナー支柱の頂部間を接続する天井つなぎ材と、上記隣接するコーナー支柱間において上記床パン及び上記天井つなぎ材間に架設された一又は複数の平支柱とを有し、これらコーナー支柱及び平支柱に複数の壁パネルを固定して上記浴室ユニットの壁面を構成する浴室ユニットの支柱立設構造において、上記平支柱は、その頂部近傍に上記天井つなぎ材を嵌着可能な嵌着部を備え、該嵌着部に上記天井つなぎ材が嵌着され、上記平支柱の上端が上記天井つなぎ材の長手方向に沿って揺動可能に掛止されることを特徴とする浴室ユニットの支柱立設構造。
【請求項２】
前記嵌着部は、前記平支柱の前記浴室ユニット室外側に位置する背面頂部近傍において、該背面から延出する返し部材と、該返し部材と対向する上記平支柱の側面とから構成されることを特徴とする請求項１記載の浴室ユニットの支柱立設構造。
【請求項３】
前記返し部材は、その先端が前記背面側に折曲されて前記嵌着部の上端を狭窄し、前記天井つなぎ材が上記嵌着部から脱落することを防止することを特徴とする請求項２記載の浴室ユニットの支柱立設構造。
【発明の詳細な説明】
【技術分野】
【０００１】
本発明は、浴室ユニット等の壁パネルが固定される支柱の立設構造に係り、特に、浴室ユニットの一の壁面両端以外の部分に立設される支柱の立設構造に関する。
【背景技術】
【０００２】
浴室ユニットの壁面を構成する壁パネルの組立構造として、図６に示すように、浴室ユニット１０１の床パン１１０上の各コーナー部にコーナー支柱（コーナージョイナーとも呼ばれる）１２０を立設し、これらコーナー支柱１２０の内、隣接するコーナー支柱１２０，１２０の頂部間を天井つなぎ材１４０を用いて接続し、このつなぎ材１４０上のいずれかの箇所において、床パン１１０及び天井つなぎ材１４０間に一又は複数の平支柱１３０（平ジョイナーとも呼ばれる）を架設してフレームを形成し、これらコーナー支柱１２０及び平支柱１３０間、或いは平支柱１３０同士の間に壁パネル（図示せず）を固定するものが広く行われている。
【０００３】
コーナー支柱１２０には、図７に示すように、その足元において取付孔１２１が１個穿設され、床パン１１０の外縁に立設された立ち上がり部１１１にも、取付孔１１２が穿設される。そして、この取付孔１１２，１２１にタッピンねじ１１３を螺挿して立ち上がり部１１１にコーナー支柱１２０がねじ止めされる。
【０００４】
コーナー支柱１２０の上部においては、取付孔１２１，１２１が直交する各面に１個ずつ穿設され、直交する天井つなぎ材１４０，１４０のそれぞれにも、取付孔１４１，１４１が穿設される。この取付孔１２１，１４１にタッピンねじ１１３を螺挿し、直交する天井つなぎ材１４０，１４０がコーナー支柱１２０にねじ止めされる。
【０００５】
平支柱１３０には、図８に示すように、その足元において取付孔１３１が１個穿設され、立ち上がり部１１１にも、取付孔１１２が穿設される。そして、この取付孔１１２，１３１にタッピンねじ１１３を螺挿して立ち上がり部１１１に平支柱１３０がねじ止めされる。
【０００６】
平支柱１３０の上部においては、取付孔１３１が１個穿設され、天井つなぎ材１４０にも、取付孔１４１が穿設される。この取付孔１３１，１４１にタッピンねじ１１３を螺挿して、平支柱１３０が天井つなぎ材１４０にねじ止めされる。
【０００７】
なお、この天井つなぎ材１４０に代えて、壁パネル上に天井パネルを載置して接続する機能を有する廻し縁が用いられる場合もある（例えば、特許文献１参照。）。
【０００８】
コーナー支柱１２０及び平支柱１３０は、図７及び図８に示したように、室内側が開口した溝型に折曲され、両端部はそれぞれさらに内側に折曲され、壁パネル表面側に開口部ＯＰを設けた構成になっている。
【０００９】
一方、壁パネルは、図示は省略するが、その表面材が壁パネルの背面側に略直角に折曲され、その先端がさらに室内側内方に折曲された折り返し部を備え、この折り返し部を、支柱１２０，１３０の開口部ＯＰ内に圧入することにより、壁パネルが支柱１２０，１３０に取り付けられる。
【特許文献１】特開平７−２４７７０６号公報（図３）
【発明の開示】
【発明が解決しようとする課題】
【００１０】
しかしながら、これら取付孔１１２，１２１，１３１，１４１は、加工精度の問題から、所定の位置からずれて穿設されることがあり、このような場合、コーナー支柱１２０及び平支柱１３０は必ずしも垂直には立設されなかった。
【００１１】
もっとも、コーナー支柱１２０及び平支柱１３０の上端及び下端は、それぞれ１本のタッピンねじ１１３で固定されるピン接合なので、コーナー部の壁パネルをコーナー支柱１２０に取り付ける際に、コーナー支柱１２０の倒れを矯正することはできた。
【００１２】
ところが平支柱１３０は、図６に示したように、コーナー支柱１２０が下端の取付孔１２１を軸として揺動するのに連動して左右に揺動するので、独立して倒れを矯正することができない。すなわち、取付孔が所定の位置からずれて穿設されると、コーナー支柱１２０とそれに隣接する平支柱１３０とを平行にすることができない。
【００１３】
そのため、組立作業員が、床パンの壁パネル載置部と壁パネル下端との間にライナーを押入して壁パネルを持ち上げ、壁パネルが平支柱１３０と略同じ角度になるように調整する等を行って、壁パネルの折り返し部を平支柱１３０の開口部ＯＰに嵌合させていた。
【００１４】
ところで、最近の浴室ユニットでは、壁パネル下端と床レベルとの間に現れる幅木をなくして、在来工法による浴室のような高級感を出すことを目的として、壁パネル載置部が壁パネル周辺の床レベル（水上）よりも低く設定されることがある。この場合、壁パネル下端から室外に漏水することを防止すべく、壁パネル載置部にパッキンが敷設される。
【００１５】
このタイプの浴室ユニットにおいては、上述したように、壁パネルを取り付けるために壁パネル載置部と壁パネル下端との間にライナーを挿入して壁パネルを持ち上げると、両者の間に間隙が生じ止水性が著しく低下する。
【００１６】
他方、壁パネル上端でねじを螺挿することは、作業姿勢が安定せず、面倒なばかりか危険でもある。
【００１７】
本発明は、上述した事情を考慮してなされたもので、浴室ユニット等の一の壁面両端以外の部分に立設され壁パネルが固定される支柱の、製造過程における取付孔穿設等の加工誤差を吸収して、垂直性を確保することに優れた浴室ユニット支柱立設構造を提供することを目的とするものである。
【００１８】
本発明の他の目的は、斯かる支柱頂部におけるねじ止め作業を不要とし、組立作業の作業性及び安全性が高い浴室ユニット支柱立設構造を提供することにある。
【課題を解決するための手段】
【００１９】
本発明に係る浴室ユニット支柱立設構造は、上述した課題を解決するために、請求項１に記載したように、浴室ユニットの床パン上のコーナー部に立設された複数のコーナー支柱と、隣接する該コーナー支柱の頂部間を接続する天井つなぎ材と、上記隣接するコーナー支柱間において上記床パン及び上記天井つなぎ材間に架設された一又は複数の平支柱とを有し、これらコーナー支柱及び平支柱に複数の壁パネルを固定して上記浴室ユニットの壁面を構成する浴室ユニットの支柱立設構造において、上記平支柱は、その頂部近傍に上記天井つなぎ材を嵌着可能な嵌着部を備え、該嵌着部に上記天井つなぎ材が嵌着され、上記平支柱の上端が上記天井つなぎ材の長手方向に沿って揺動可能に掛止されるものである。
【００２０】
前記嵌着部は、好適には、請求項２に記載したように、前記平支柱の前記浴室ユニット室外側に位置する背面頂部近傍において、該背面から延出する返し部材と、該返し部材と対向する上記平支柱の側面とからなる構成とすることができる。
【００２１】
前記返し部材は、より好適には、請求項２に記載したように、その先端が前記背面側に折曲されて前記嵌着部の上端を狭窄し、前記天井つなぎ材が上記嵌着部から脱落することを防止するものとすることが望ましい。
【発明の効果】
【００２２】
本発明に係る浴室ユニット支柱立設構造によれば、浴室ユニット等の一の壁面両端以外の部分に立設され壁パネルが固定される支柱の、製造過程における取付孔穿設等の加工誤差を吸収して、垂直性を確保することができる。
【００２３】
また、本発明は、斯かる支柱頂部におけるねじ止め作業を不要とし、組立作業の作業性及び安全性を高めることができる効果が得られる。
【発明を実施するための最良の形態】
【００２４】
本発明に係る浴室ユニット支柱立設構造の実施の形態について、添付図面を参照して説明する。図１は、本発明に係る浴室ユニット支柱立設構造を採用した壁パネル取付フレームの概要を示す斜視図であり、図２は、壁パネルが取り付けられた状態の支柱立設構造の部分横断面図である。
【００２５】
本実施形態に示された浴室ユニット１の床パン１０は、洗い場部１５と浴槽載置部１６とに大別される。洗い場部１５は、ＢＭＣやＳＭＣ等のＦＲＰで成形され、浴槽載置部１６と対向する辺以外の三方の外縁は、図示しない壁パネルやドア枠を載置可能に同一レベルに形成され、浴槽載置部１６と対向する辺の中央に設けられた排水凹部１７を指向して下り勾配が形成されている。
【００２６】
浴槽載置部１６は、ＥＰＰ、ＥＰＥ等のプラスチック系の材料を発泡成形させた断熱材で形成され、漏水を防止する外、浴槽内に溜められた湯の熱が浴槽裏面から伝導、放射することを防止する。この浴槽載置部１６は、図示しない浴槽の底面に位置する底部１６ａと、洗い場部１５に対向する側を除く三方に、この底部の外縁から延出し浴槽の上端周囲が外方へ拡開延出するリムの高さ近くまで立設された側部１６ｂとを備える。なお、この浴槽載置部１６は、従来の床パンのように、洗い場部１５と浴槽載置部１６とがＦＲＰで一体に形成されたものであってもよい。
【００２７】
図１に示すように、洗い場部１５及び浴槽載置部１６上の各出隅部には、コーナー支柱２０が立設され、隣接するコーナー支柱２０，２０の頂部には、天井つなぎ材４０が架設される。そして、この天井つなぎ材４０上のいずれかの箇所において、床パン１０及び天井つなぎ材４０間に平支柱３０が立設される。この平支柱３０は、浴室ユニット１の大きさ等に従って、一の壁面内に２又はそれ以上の本数が立設されることもある。
【００２８】
平支柱３０は、図２に示すように、亜鉛めっき鋼板やステンレス鋼板等を、背面３２及び側面３３，３３からなる断面視溝型に折曲し、側面３３，３３の両端部を夫々更に内側に折曲して壁パネル５０表面側内方へ突出した凸部３４を形成し、向い合う凸部３４，３４間に開口部ＯＰを設けた構成になっている。
【００２９】
壁パネル５０の室内側の表面材５１は化粧鋼板等で、また、室外側の裏面材５２は鋼板等で形成され、両者は、両側縁部を除いてプラスターボード、石綿、グラスウール等の芯材５３に貼着され一体化される。
【００３０】
表面材５１は、側縁部を背面方向（室外側）へ略直角に折曲げた折曲片５４と、この折曲片５４の先端を更に室内側内方に折曲した折返し部５５を形成する。このように形成した隣接する壁パネル５０の折曲片５４，５４同士を平支柱３０の開口部ＯＰ内に圧入すると、折返し部５５によって、平支柱３０の凸部３４と壁パネル５０の折曲片５４との間の隙間を埋めるので、折曲片５４，５４同士間に隙間を生じることなく、壁パネル５０を平支柱３０に取り付けることができる。
【００３１】
また、平支柱３０の凸部により形成される開口部ＯＰ内に、ＡＢＳ樹脂等で形成した略Ω字型のジィナー５６を嵌合させ、その開口部ＯＰに壁パネル５０の折曲片５４及び折返し部５５からなる側縁部を圧入する。この時平支柱３０の凸部３４、ジョイナ−５６の側面、及び壁パネル５０の折り返し部５５は、図２に示すように、それぞれ重なりあった部分が弾性変形する。これにより、平支柱３０の凸部３２と壁パネル５０の折返し部５５がジョイナー５６を介して衝合され、鋼板等で形成された平支柱３０、及び壁パネル５０の折返し部５５それぞれの弾性により、強固に嵌合係止される。 
また、ジョイナー５６が、同図に示すように、袋状になって、平支柱３０の凸部３４と壁パネル５０の折返し部５５とが嵌合係止されているので、これより奥に水が浸入する虞がない。なお、５７は弾性樹脂のシール片で、ジョイナー５６の水密性をより完全なものとしている。
【００３２】
一方、コーナー支柱２０は、亜鉛めっき鋼板やステンレス鋼板等を折曲して、斜面２２、背面２３，２３及び側面２４，２４からなる断面視正方形状のものの一角を切り落とした形状に成形し、この斜面２３と対向する一角に開口部ＯＰを設けた構成になっている。開口部ＯＰを臨む部分には、鋼板の両端部をそれぞれ更に内側に折曲げて壁パネル５０の表面側内方へ突出させ、壁パネル５０の折返し部５５と対向する凸部２５を形成している。このコーナー支柱２０の開口部ＯＰ内に隣接する壁パネル５０，５０の折曲片５４，５４同士が挿入され、両折曲片５４，５４の隙間にコーナー目地材２６が嵌挿される。
【００３３】
図３は、図２のＡ−Ａ方向の矢視図である。同図に示すように、平支柱３０の下端は、背面３２及び背面３２と接続する側面３３の一部が切欠され、側面３３の残余の部分よりも短く形成される。そして、この切欠部分に、平支柱３０を立ち上がり部１１に取り付けるための取付部材３６が設けられる。
【００３４】
取付部材３６は、平支柱３０と同材等の小片が略Ｚ字状に折曲成形され、下半分略中央には、取付孔３１が穿設されている。そして、取付部材３６の上半分は、平支柱３０の薄型内部に挿入され、溶接等により背面３２に固着される。
【００３５】
取付部材３６の略Ｚ字状の短い中間部分は、立ち上がり部１１上に載置され、また、下半分は立ち上がり部１１の側面に当接されて、タッピンねじ１３が、取付部材３６の取付孔３１及び立ち上がり部１１の取付孔１２に連通螺挿されて、平支柱３０が立設される。
【００３６】
壁パネル５０は、この平支柱３０にその側縁部が嵌装されるとともに、下端が壁パネル載置部１４上に、パッキン３７を介して載置されて取り付けられる。
【００３７】
他方、平支柱３０の上端においても、背面３２及び背面３２と接続する側面３３の一部が切欠され、側面３３の残余の部分よりも短く形成される。そして、この切欠部分に、平支柱３０を天井つなぎ材４０に掛止させるための返し部材３５が設けられる。
【００３８】
返し部材３５は、平支柱３０と同材等の小片が略Ｚ字状に折曲成形され、返し部材３５の下半分は、平支柱３０の薄型内部に挿入され、溶接等により背面３２に固着される。
【００３９】
天井つなぎ材４０は、上下両側部が略１８０度折り返されて剛性が高められた亜鉛めっき鋼板やステンレス鋼板に、平支柱３０の側面３３及び壁パネル５０の裏面材５２と当接する側にパッキン４２が貼着されて形成される。
【００４０】
平支柱３０の上部は、その側面３３の室外側の側部と返し部材３５とにより天井つなぎ材４０を挟持するようにして嵌着する。すなわち、側面３２と返し部材３５とにより本発明の嵌着部が構成される。
【００４１】
これにより、平支柱３０が室内／室外方向に倒れることが防止される一方、天井つなぎ材４０の長さ方向に沿っては、揺動可能となっている。また、返し部材３５の上端には、平支柱３０の側面３３側にさらに折曲された掛止部３５ａが形成される。
【００４２】
平支柱３０が天井つなぎ材４０の長さ方向に沿って傾き、この掛止部３５ａが天井つなぎ材４０の上部に当接すると、平支柱３０はそれ以上傾斜することができなくなるので、平支柱３０の揺動は、図１に示したように一定の範囲内に抑えられるとともに、平支柱３０が天井つなぎ材４０から脱落することを防止する。
【００４３】
そして、壁パネル５０のコーナー支柱２０側の側縁部がコーナー支柱２０に嵌装されると、もう一方の平支柱側の側縁部に合わせて平支柱３０を天井つなぎ材４０に沿って揺動させて、この側縁部を平支柱３０内に嵌装させる。したがって、この側縁部を平支柱３０に嵌装するために、壁パネル５０を無理矢理持ち上げる等の調整作業が不要となる。またその結果、壁パネル５０の下端とパッキン３７との間に間隙が生じることがなく、止水性も確保される。そして、立ち上がり部１１の下端とそれに隣接する床パン１０端部との間にシリコンシールが打設され、さらに止水性を向上させている。
【００４４】
こうして壁パネル５０が取り付けられると、その上に天井パネル６０にねじ６３でねじ止めされた接続部材６１が載置されて、この接続部材６１がねじ６４を用いて壁パネル５０にねじ止めされる。最後に回り縁６２が取り付けられて、接続部材６１は掩蔽され、浴室ユニット１の外枠の組立が略完了する。
【００４５】
本実施の形態に係る浴室ユニットのコーナー支柱及び平支柱は上記のように構成されており、以下その取付手順について、図４及び図５を参照して説明する。
【００４６】
まず、コーナー支柱２０を、図４に示すように、その足元に穿設された取付孔２１と、立ち上がり部１１に穿設された取付孔１２とを、タッピンねじ１３を連通螺挿して、立ち上がり部１１にねじ止めする。
【００４７】
少なくとも２本のコーナー支柱が立設されると、このコーナー支柱２０の上部において、各々の背面２３に穿設された取付孔２１と、天井つなぎ材４０に穿設された取付孔４１とを、タッピンねじ１３を連通螺挿して、天井つなぎ材４０をコーナー支柱２０にねじ止めする。
【００４８】
こうして隣接するコーナー支柱２０，２０が連結されると、図５に示すように、平支柱３０が取り付けられる位置において、平支柱３０の上端の側面３２と返し部材３５とにより天井つなぎ材４０を挟み込むように嵌着させる。
【００４９】
そして、平支柱３０を、その足元に穿設された取付孔３１と、立ち上がり部１１に穿設された取付孔１２とを、タッピンねじ１３を連通螺挿して、立ち上がり部１１にねじ止めする。これにより、平支柱３０は、下部の取付孔３１を中心として、上部が天井つなぎ材４０に沿って揺動可能に立設される。
【００５０】
これにより、平支柱３０上端でのねじ止め作業が不要となり作業性が向上する。また、この作業は、背伸びをして或いは踏み台に上って不安定な姿勢で行われる作業であるので、この作業が不要となることにより、作業の安全性も向上する。
【００５１】
なお、本実施形態において示した例とは逆に、平支柱３０の上部を天井つなぎ材４０にねじ止めし、平支柱３０の下部を立ち上がり部１１に嵌着させる構造も考えられる。しかしながら、この構造では以下の問題がある。
【００５２】
すなわち、壁パネル５０の平支柱３０側端部は、平支柱３０の開口部ＯＰに壁パネル５０，５０を押入することにより固定され、壁パネル５０のコーナー支柱２０側端部は、コーナー目地材２６を壁パネル５０，５０間に押入することによりコーナー支柱２０の開口部ＯＰに嵌合係止される。そして、図３に示したように、壁パネル５０下端と立ち上がり部１１との間にシリコンシ−ル３８が打たれる。
【００５３】
この場合、平支柱３０の下部を立ち上がり部１１に嵌着させる構造にあっては、平支柱３０の下端がねじ固定されていないので、上下方向に作用する力、例えば地震力等が働くと、平支柱３０が立ち上がり部１１から浮き上がって脱落し、これに伴いシリコンシール３８も切れて壁パネル５０も浮き上がり、浴室ユニット１が崩壊する虞が生じる。
【００５４】
この点、本実施形態に示したように、平支柱３０の上部を天井つなぎ材４０に嵌着させる構造では、平支柱３０が立ち上がり部１１から脱落することがなく、したがって壁パネル５０も、シリコンシール３８の付着力により浮き上がることもない。
【００５５】
これを止水性の観点から見れば、平支柱３０の下端がねじ固定されていることにより、シリコンシール３８が切れにくくなっているといえる。
【００５６】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００５７】
【図１】本発明の一実施形態に係る支柱立設構造を採用した壁パネル取付フレームを示す概略斜視図。
【図２】本実施形態に係る壁パネル及び支柱の部分横断面図。
【図３】本実施形態に係るコーナー支柱の取付を説明する図。
【図４】本実施化形態に係る平支柱及び壁パネルの縦断面図。
【図５】本実施形態に係る平支柱の取付を説明する図。
【図６】従来の壁パネル取付フレームを示す概略斜視図。
【図７】従来のコーナー支柱の取付を説明する図。
【図８】従来の平支柱の取付を説明する図。
【符号の説明】
【００５８】
１  浴室ユニット
２  フレーム
１０  床パン
１１  立ち上がり部
１２  取付孔
１３  タッピンねじ
１４  壁パネル載置部
１５  洗い場部
１６  浴槽載置部
１６ａ  底部
１６ｂ  側部
１７  排水凹部
２０  コーナー支柱
２１  取付孔
２２  斜面
２３  背面
２４  側面
２５  凸部
２６  コーナー目地材
３０  平支柱
３１  取付孔
３２  背面
３３  側面
３４  凸部
３５  返し部材
３５ａ  掛止部
３６  取付部材
３７  パッキン
３８  シリコンシール
４０  天井つなぎ材
４１  取付孔
４２  パッキン
５０  壁パネル
５１  表面材
５２  裏面材
５３  芯材
５４  折曲片
５５  折返し部
５６  ジョイナー
５７  シール片
６０  天井パネル
６１  接続部材
６２  回り縁
６３，６４  ねじ
ＯＰ  開口部
【図１】
2006241710.tif 000003
【図２】
2006241710.tif 000004
【図３】
2006241710.tif 000005
【図４】
2006241710.tif 000006
【図５】
2006241710.tif 000007
【図６】
2006241710.tif 000008
【図７】
2006241710.tif 000009
【図８】
2006241710.tif 000010